(57)【要約】      （修正有）【課題】セキュリティを確保しながらセンサ装置に適した通信方式を決定し得るようにする。【解決手段】センサ管理システム１では、センサ装置におけるセキュリティ機能の有無に応じて、ゲートウェイ装置５により通信方式を決定する。すなわちセキュリティ機能を有するセンサ装置６Ｂは、通信方式をＬＰＷＡに設定し、該センサ装置６Ｂのセキュリティ処理部によりセキュリティを確保でき、且つゲートウェイ装置５の処理負荷を軽減できる。一方、セキュリティ機能を有しないセンサ装置６Ａは、通信方式をＦＡＮに設定し、簡素な構成を維持したまま、ゲートウェイ装置５のセキュリティ処理部によりセキュリティを確保できる。これによりセンサ管理システム１では、各センサ装置からセンシングデータを安全に送信でき、またインターネット２を介した外部からの攻撃等にも対処できる。【選択図】図１
2018173726.tif 000002
【特許請求の範囲】
【請求項１】
データを収集して第１通信方式又は第２通信方式により送信するセンサ装置と、
所定のセキュリティ機能を有し、前記センサ装置から前記第１通信方式により送信された前記データを受信して所定のネットワークへ送信するセンサ管理装置と、
前記センサ装置から前記第２通信方式により送信された前記データを前記ネットワークへ中継する通信装置と、
前記センサ管理装置又は前記通信装置から前記ネットワークを介して前記データを受信するサーバ装置と
を具え、
前記センサ管理装置は、
前記センサ装置が有するセキュリティ機能を基に、該センサ装置において前記データを送信する場合に使用する通信方式を、前記第１通信方式又は前記第２通信方式に決定する通信方式決定部
をさらに具えることを特徴とするセンサ管理システム。
【請求項２】
前記通信方式決定部は、前記センサ装置がセキュリティに関する所定のセキュリティ条件を満たす場合に前記第２通信方式に決定し、前記センサ装置が前記セキュリティ条件を満たさない場合に前記第１通信方式に決定する
ことを特徴とする請求項１に記載のセンサ管理システム。
【請求項３】
前記セキュリティ条件は、前記センサ装置がセキュリティ機能を有することである
ことを特徴とする請求項２に記載のセンサ管理システム。
【請求項４】
前記セキュリティ条件は、前記センサ装置のセキュリティ機能に数値を割り当てたセキュリティレベルが所定の基準レベル以上であることである
ことを特徴とする請求項３に記載のセンサ管理システム。
【請求項５】
前記セキュリティ条件は、前記センサ装置が前記センサ管理装置と同等以上のセキュリティ機能を有することである
ことを特徴とする請求項２に記載のセンサ管理システム。
【請求項６】
前記セキュリティ条件は、前記サーバ装置から通知される
ことを特徴とする請求項２に記載のセンサ管理システム。
【請求項７】
前記通信方式決定部は、前記セキュリティ条件が変更された場合、既に通信方式を決定した前記センサ装置の通信方式を、変更後の当該セキュリティ条件に従って再度決定する
ことを特徴とする請求項２に記載のセンサ管理システム。
【請求項８】
前記通信方式決定部は、前記センサ装置が有するセキュリティ機能に加え、前記センサ装置が収集する前記データの種類に応じて、該センサ装置の前記通信方式を決定する
ことを特徴とする請求項１に記載のセンサ管理システム。
【請求項９】
前記通信方式決定部は、前記センサ装置が収集する前記データに画像又は音声の少なくとも一方が含まれる場合、該センサ装置の前記通信方式を前記第１通信方式に決定する
ことを特徴とする請求項８に記載のセンサ管理システム。
【請求項１０】
前記通信方式決定部により決定された前記通信方式をユーザに提示する提示部
をさらに具えることを特徴とする請求項１に記載のセンサ管理システム。
【請求項１１】
前記提示部は、少なくとも前記センサ装置及び前記センサ管理装置を図形により表した画像を用いて、前記通信方式決定部により決定された前記通信方式をユーザに提示する
ことを特徴とする請求項１０に記載のセンサ管理システム。
【請求項１２】
データを収集して第１通信方式又は第２通信方式により送信するセンサ装置と、
所定のセキュリティ機能を有し、前記センサ装置から前記第１通信方式により送信された前記データを受信して所定のネットワークへ送信するセンサ管理装置と、
前記センサ装置から前記第２通信方式により送信された前記データを前記ネットワークへ中継する通信装置と、
前記センサ管理装置又は前記通信装置から前記ネットワークを介して前記データを受信するサーバ装置と
を有するセンサ管理システムのセンサ管理方法であって、
所定の通信部により、前記センサ装置が有するセキュリティ機能を知得する知得ステップと、
所定の通信方式決定部により、前記知得ステップにおいて知得した前記セキュリティ機能を基に、前記センサ装置において前記データを送信する場合に使用する通信方式を、前記第１通信方式又は前記第２通信方式に決定する通信方式決定ステップと
を具えることを特徴とするセンサ管理方法。
【請求項１３】
データを収集して第１通信方式又は第２通信方式により送信するセンサ装置と、
所定のセキュリティ機能を有し、前記センサ装置から前記第１通信方式により送信された前記データを受信して所定のネットワークへ送信するセンサ管理装置と、
前記センサ装置から前記第２通信方式により送信された前記データを前記ネットワークへ中継する通信装置と、
前記センサ管理装置又は前記通信装置から前記ネットワークを介して前記データを受信するサーバ装置と
を有するセンサ管理システムにおける前記センサ管理装置に実行させるためのセンサ管理プログラムであって、
前記センサ装置が有するセキュリティ機能を知得する知得ステップと、
前記知得ステップにおいて知得した前記セキュリティ機能を基に、前記センサ装置において前記データを送信する場合に使用する通信方式を、前記第１通信方式又は前記第２通信方式に決定する通信方式決定ステップと
を具えることを特徴とするセンサ管理プログラム。
【請求項１４】
データを収集して第１通信方式又は第２通信方式により送信するセンサ装置から、前記第１通信方式により送信された前記データを受信するセンサ側通信部と、
前記センサ装置から受信した前記データを所定のネットワークへ送信するネットワーク側通信部と、
前記センサ装置から受信した前記データに対して所定のセキュリティ処理を行うセキュリティ処理部と、
前記センサ装置が有するセキュリティ機能を基に、該センサ装置において前記データを送信する場合に使用する通信方式を、前記第１通信方式又は前記第２通信方式に決定する通信方式決定部と
を具えることを特徴とするセンサ管理装置。
【発明の詳細な説明】
【技術分野】
【０００１】
本発明はセンサ管理システム、センサ管理方法、センサ管理プログラム及びセンサ管理装置に関し、例えばセンサにより収集されたデータをネットワーク経由でサーバへ送信する場合に適用して好適なものである。
【背景技術】
【０００２】
近年、ＩｏＴ（Internet of Things）と呼ばれる、様々な物をネットワークに接続し、それぞれから得られる様々な情報を相互に交換し、さらには相互に制御するような仕組みが提案されている。また、ＩｏＴにより得られる膨大な情報については、サーバ等に蓄積していわゆるビッグデータとして取り扱い、様々に活用することも提案されている。
【０００３】
このＩｏＴでは、データを収集するセンサ装置に無線通信機能を搭載すると共に、これと対応する無線通信機能を有するゲートウェイ装置を設け、配線の敷設を不要として設置の容易化を図る場合がある。この場合、使用される無線通信は、例えば無線ＬＡＮ（Local Area Network）やＢｌｕｅｔｏｏｔｈ（登録商標）等が想定されており、その通信距離が例えば数［ｍ］〜数十［ｍ］程度のように比較的近距離となっている。
【０００４】
ゲートウェイ装置は、インターネット等のネットワークにも接続され、センサ装置から無線通信を介して送信されたデータをネットワークへ中継し、所定のサーバ装置へ送信することができる。このゲートウェイ装置は、一般に、暗号化機能や認証機能、或いはＤｏＳ（Denial of Service）検知機能等、様々なセキュリティ機能を備えており、通信における機密性（Confidentiality）、完全性（Integrity）及び可用性（Availability）等を確保するようになっている。
【０００５】
さらにゲートウェイ装置としては、センサ装置（クライアント装置とも呼ばれる）から送信される接続要求に基づき、該センサ装置が予め登録された正当なものであるか否かを識別するものも提案されている（例えば、特許文献１参照）。
【先行技術文献】
【特許文献】
【０００６】
【特許文献１】特開２０１７−４６３３８号公報（図２等）
【発明の概要】
【発明が解決しようとする課題】
【０００７】
ところで近年では、ＩｏＴに適した無線通信方式として、ＬＰＷＡ（Low Power, Wide Area）と呼ばれる方式が提案されている。このＬＰＷＡでは、通信距離が例えば数［ｋｍ］〜数十［ｋｍ］のような中・長距離となっており、ゲートウェイ装置による中継を不要として、通信事業者等が設置する基地局とセンサ装置とが直接通信を行う。
【０００８】
しかしながら、センサ装置が十分なセキュリティ機能を有していない場合、外部からＬＰＷＡを介して不正なアクセスを受けることにより、データの漏洩や改ざん、或いは他のネットワーク機器への不正アクセスの踏み台にされる等、様々な問題を引き起こす恐れがあった。
【０００９】
本発明は以上の点を考慮してなされたもので、セキュリティを確保しながらセンサ装置に適した通信方式を決定し得るセンサ管理システム、センサ管理方法及びセンサ管理プログラム並びにセンサ管理装置を提案しようとするものである。
【課題を解決するための手段】
【００１０】
かかる課題を解決するため本発明のセンサ管理システムにおいては、データを収集して第１通信方式又は第２通信方式により送信するセンサ装置と、所定のセキュリティ機能を有し、センサ装置から第１通信方式により送信されたデータを受信して所定のネットワークへ送信するセンサ管理装置と、センサ装置から第２通信方式により送信されたデータをネットワークへ中継する通信装置と、センサ管理装置又は通信装置からネットワークを介してデータを受信するサーバ装置とを設け、センサ管理装置には、センサ装置が有するセキュリティ機能を基に、該センサ装置においてデータを送信する場合に使用する通信方式を、第１通信方式又は第２通信方式に決定する通信方式決定部を設けるようにした。
【００１１】
また本発明のセンサ管理方法においては、データを収集して第１通信方式又は第２通信方式により送信するセンサ装置と、所定のセキュリティ機能を有し、センサ装置から第１通信方式により送信されたデータを受信して所定のネットワークへ送信するセンサ管理装置と、センサ装置から第２通信方式により送信されたデータをネットワークへ中継する通信装置と、センサ管理装置又は通信装置からネットワークを介してデータを受信するサーバ装置とを有するセンサ管理システムのセンサ管理方法であって、所定の通信部により、センサ装置が有するセキュリティ機能を知得する知得ステップと、所定の通信方式決定部により、知得ステップにおいて知得したセキュリティ機能を基に、センサ装置においてデータを送信する場合に使用する通信方式を、第１通信方式又は第２通信方式に決定する通信方式決定ステップとを設けるようにした。
【００１２】
さらに本発明のセンサ管理プログラムにおいては、データを収集して第１通信方式又は第２通信方式により送信するセンサ装置と、所定のセキュリティ機能を有し、センサ装置から第１通信方式により送信されたデータを受信して所定のネットワークへ送信するセンサ管理装置と、センサ装置から第２通信方式により送信されたデータをネットワークへ中継する通信装置と、センサ管理装置又は通信装置からネットワークを介してデータを受信するサーバ装置とを有するセンサ管理システムにおけるセンサ管理装置に実行させるためのセンサ管理プログラムであって、センサ装置が有するセキュリティ機能を知得する知得ステップと、知得ステップにおいて知得したセキュリティ機能を基に、センサ装置においてデータを送信する場合に使用する通信方式を、第１通信方式又は第２通信方式に決定する通信方式決定ステップとを設けるようにした。
【００１３】
さらに本発明のセンサ管理装置においては、データを収集して第１通信方式又は第２通信方式により送信するセンサ装置から、第１通信方式により送信されたデータを受信するセンサ側通信部と、センサ装置から受信したデータを所定のネットワークへ送信するネットワーク側通信部と、センサ装置から受信したデータに対して所定のセキュリティ処理を行うセキュリティ処理部と、センサ装置が有するセキュリティ機能を基に、該センサ装置においてデータを送信する場合に使用する通信方式を、第１通信方式又は第２通信方式に決定する通信方式決定部とを設けるようにした。
【００１４】
本発明は、センサ装置が第１通信方式又は第２通信方式の何れによってもデータを送信可能である場合に、該センサ装置が有するセキュリティ機能に応じて、通信管理装置のセキュリティ機能を利用する第１通信方式か、或いはセンサ装置のセキュリティ機能を利用する第２通信方式に決定することができる。
【発明の効果】
【００１５】
本発明によれば、セキュリティを確保しながらセンサ装置に適した通信方式を決定し得るセンサ管理システム、センサ管理方法及びセンサ管理プログラム並びにセンサ管理装置を実現できる。
【図面の簡単な説明】
【００１６】
【図１】センサ管理システムの全体構成を示す略線図である。
【図２】サーバ装置の構成を示すブロック図である。
【図３】ゲートウェイ装置の構成を示すブロック図である。
【図４】第１の実施の形態における通信方式決定テーブルを示す略線図である。
【図５】第１の実施の形態におけるセンサ装置の構成を示すブロック図である。
【図６】第１の実施の形態におけるセキュリティ情報テーブルを示す略線図である。
【図７】通信方式決定シーケンスを示すシーケンスチャートである。
【図８】第１の実施の形態における通信方式決定処理手順を示すフローチャートである。
【図９】各センサ装置の通信経路を示す略線図である。
【図１０】通信経路表示画面の構成を示す略線図である。
【図１１】第２の実施の形態における通信方式決定テーブルを示す略線図である。
【図１２】第２の実施の形態におけるセンサ装置の構成を示すブロック図である。
【図１３】第２の実施の形態におけるセキュリティ情報テーブルを示す略線図である。
【図１４】第２の実施の形態における通信方式決定処理手順を示すフローチャートである。
【図１５】第３の実施の形態における通信方式決定テーブルを示す略線図である。
【図１６】第３の実施の形態におけるセンサ装置の構成を示すブロック図である。
【図１７】第３の実施の形態におけるセキュリティ情報テーブルを示す略線図である。
【図１８】第３の実施の形態における通信方式決定処理手順を示すフローチャートである。
【図１９】第４の実施の形態における通信方式決定テーブルを示す略線図である。
【図２０】第４の実施の形態におけるセキュリティ情報テーブルを示す略線図である。
【図２１】第４の実施の形態における通信方式決定処理手順を示すフローチャートである。
【発明を実施するための形態】
【００１７】
以下、発明を実施するための形態（以下実施の形態とする）について、図面を用いて説明する。
【００１８】
［１．第１の実施の形態］
［１−１．センサ管理システムの構成］
図１に示すように、第１の実施の形態によるセンサ管理システム１は、インターネット２を介してサーバ装置３、ＬＰＷＡ基地局４及びゲートウェイ（ＧＷ）装置５が相互に接続されており、これらの間で情報を送受信し得るようになっている。またセンサ管理システム１には、センサ装置６Ａ及び６Ｂ（以下、両者をまとめてセンサ装置６とも呼ぶ）も設けられている。
【００１９】
［１−１−１．サーバ装置及びＬＰＷＡ基地局の構成］
サーバ装置３は、図２に模式的なブロック図を示すように、バス１０を介して制御部１１、記憶部１２、通信部１４、表示部１７及び操作部１８が相互に接続されており、このバス１０を介して各部の間で情報を受け渡し得るようになっている。
【００２０】
制御部１１は、図示しないＣＰＵ（Central Processing Unit）を中心に構成されており、図示しないＲＯＭ（Read Only Memory）やフラッシュメモリ等から所定のプログラムを読み出し、図示しないＲＡＭ（Random Access Memory）をワークエリアとして使用しながら、データ蓄積処理のような種々の処理を実行する。
【００２１】
記憶部１２は、例えばハードディスクドライブやフラッシュメモリ等のような不揮発性の情報記憶媒体であり、各種プログラムや各種設定情報、或いは各センサ装置６から送信される各種データ等を記憶する。この記憶部１２には、各センサ装置６の通信方式に関する情報も記憶される。
【００２２】
通信部１４は、例えばＩＥＥＥ（Institute of Electrical and Electronics Engineers）８０２．３ｕ／ａｂのような規格に準拠した有線ＬＡＮ（Local Area Network）のインタフェースとなっており、この有線ＬＡＮによりインターネット２（図１）と接続されている。この通信部１４は、例えば制御部１１からデータが供給されると、このデータに対してパケット化等の処理を施し、宛先を表すアドレス等の情報を適宜格納した上で、インターネット２へ送信する。また通信部１４は、例えばインターネット２からパケット形式のデータを受信すると、このデータに対して逆パケット化等の処理を施してデータを復元し、制御部１１へ供給する。
【００２３】
提示部としての表示部１７は、例えば液晶パネル等のような表示デバイスであり、制御部１１から供給される画面データを表示することにより、サーバ装置３の使用者に対して種々の情報を提示する。操作部１８は、例えばキーボード及びマウスでなり、サーバ装置３の使用者による入力操作に応じて操作指示を生成し、これを制御部１１へ供給する。
【００２４】
ＬＰＷＡ基地局４（図１）は、有線ＬＡＮ等によりインターネット２に接続されると共に、ＬＰＷＡに対応した信号処理部やアンテナ等を有している。このＬＰＷＡ基地局４は、インターネット２から有線ＬＡＮ等を介して受信したデータ（パケット等）を信号処理部により無線信号に変換し、これをアンテナによりＬＰＷＡの電波として放射する。またＬＰＷＡ基地局４は、アンテナによりＬＰＷＡの電波を受信して無線信号に変換すると、これを信号処理部によりデータ（パケット等）に変換して、インターネット２から有線ＬＡＮ等を介して送信する。
【００２５】
ここでＬＰＷＡは、主にＩｏＴの分野で利用されることを想定して規定された通信方式であり、８６８［ＭＨｚ］帯、９１５［ＭＨｚ］帯、或いは９２０［ＭＨｚ］帯等の周波数帯を利用し、伝送距離が１〜数十［ｋｍ］程度であり、最大伝送速度が百〜数百キロ［ｂｐｓ］程度となっている。具体的には、ＳＩＧＦＯＸ（登録商標）やＬｏＲａＷＡＮ等、複数の通信方式が企業や団体等により提案されている。説明の都合上、以下ではＬＰＷＡを第２通信方式とも呼ぶ。
【００２６】
［１−１−２．ゲートウェイ装置の構成］
センサ管理装置としてのゲートウェイ装置５（図１）は、図３に模式的なブロック図を示すように、バス２０を介して制御部２１、記憶部２２、セキュリティ処理部２３、有線通信部２４、ＦＡＮ（Field Area Network）通信部２５、表示部２７及び操作部２８が相互に接続されており、このバス２０を介して各部の間で情報を受け渡し得るようになっている。
【００２７】
制御部２１は、サーバ装置３の制御部１１（図２）と同様、図示しないＣＰＵを中心に構成されており、図示しないＲＯＭやフラッシュメモリ等から所定のプログラムを読み出し、図示しないＲＡＭをワークエリアとして使用しながら、データ中継処理のような種々の処理を実行する。また制御部２１は、図示しないフラッシュメモリや記憶部２２等から通信方式決定プログラムを読み出して実行することにより、機能ブロックとして通信方式決定部２１Ａを形成することができる。
【００２８】
記憶部２２は、例えばフラッシュメモリ等のような不揮発性の情報記憶媒体であり、各種プログラムや各種設定情報等を記憶する。また記憶部２２には、各センサ装置６のセキュリティ機能に応じて通信方式を決定するための条件であるセキュリティ条件が、図４に示す通信方式設定テーブルＴ１として記憶されている。
【００２９】
この通信方式設定テーブルＴ１には、項目として「セキュリティ機能」及び「通信方式」が用意されており、「セキュリティ機能」の値として「あり」又は「なし」が格納され、それぞれと対応付けられた「通信方式」の値として「ＬＰＷＡ」又は「ＦＡＮ」が格納されている。すなわち通信方式設定テーブルＴ１には、通信方式をＬＰＷＡに決定するためのセキュリティ条件として、「セキュリティ機能を有すること」が規定されている。
【００３０】
ネットワーク側通信部としての有線通信部２４は、サーバ装置３の通信部１４と同様、例えばＩＥＥＥ８０２．３ｕ／ａｂのような規格に準拠した有線ＬＡＮのインタフェースとなっており、この有線ＬＡＮによりインターネット２（図１）と接続されている。この有線通信部２４は、やはり通信部１４と同様、データにパケット化等の処理を施してインターネット２へ送信し、また該インターネット２から受信したパケット形式のデータに逆パケット化等の処理を施してデータを復元する。
【００３１】
センサ側通信部としてのＦＡＮ通信部２５は、例えばＩＥＥＥ８０２．１１ａ／ｂ／ｇ／ｎ／ａｃ等の規格に準拠した無線ＬＡＮやＢｌｕｅｔｏｏｔｈ（登録商標）等、或いはＩＥＥＥ８０２．１５．４ｇ等の規格に準拠したＷｉ−ＳＵＮ（Wireless-Smart Utility Network）のような通信距離が比較的近い無線通信規格のインタフェースとなっている。このＦＡＮ通信部２５は、図示しないアンテナや信号処理回路等を有している。説明の都合上、以下ではＦＡＮを第１通信方式とも呼ぶ。
【００３２】
このＦＡＮ通信部２５は、制御部２１等からデータが供給されると、このデータに対して所定のパケット化等の処理を施した上で無線信号に変換し、これをアンテナからＦＡＮの電波として放射する。またＦＡＮ通信部２５は、センサ装置６（図１）等からＦＡＮの電波をアンテナにより受信して無線信号に変換すると、これに逆パケット化等の処理を施してデータを取り出し、制御部２１へ供給する。
【００３３】
表示部２７は、例えば液晶パネルやＬＥＤ（Light Emitting Diode）によるインジケータ等であり、制御部２１の制御に基づいて液晶パネルに所定の文字や画像等のような情報を表示し、或いはＬＥＤを点灯若しくは消灯させる。操作部２８は、例えば複数の操作ボタンでなり、ユーザによる操作入力を受け付けて制御部２１へ通知する。
【００３４】
かかる構成によりゲートウェイ装置５は、例えばセンサ装置６からの電波をＦＡＮ通信部２５のアンテナにより受信すると、これを信号処理部によりデータ（パケット等）に変換し、このデータを有線通信部２４からインターネット２へ送信するようになっている。またゲートウェイ装置５は、制御部２１の制御に基づき、ＦＡＮ通信部２５を使用した無線通信により、センサ装置６との間で種々の情報を送信又は受信することができる。
【００３５】
セキュリティ処理部２３は、例えば暗号化処理、認証処理及びＤｏＳ検知処理等のセキュリティに関する各種処理を実行し得るようになっている。このためゲートウェイ装置５は、このセキュリティ処理部２３により、例えばセンサ装置６等へ送信する情報を暗号化することや、図示しない認証サーバとの間で認証処理を行うこと、或いはインターネット２を介したＤｏＳ攻撃等を検知して対処すること等、セキュリティに関する種々の処理を行い得る。
【００３６】
［１−１−３．センサ装置の構成］
センサ装置６Ａ（図１）は、図５（Ａ）に模式的なブロック図を示すように、バス３０を介して制御部３１、記憶部３２、ＬＰＷＡ通信部３４、ＦＡＮ通信部３５及びセンサ部３６が相互に接続されており、このバス３０を介して各部の間で情報を受け渡し得るようになっている。
【００３７】
制御部３１は、サーバ装置３の制御部１１（図２）やゲートウェイ装置５の制御部２１（図３）と同様、図示しないＣＰＵを中心に構成されており、図示しないＲＯＭやフラッシュメモリ等から所定のプログラムを読み出し、図示しないＲＡＭをワークエリアとして使用しながら、データ収集処理のような種々の処理を実行する。
【００３８】
記憶部３２は、ゲートウェイ装置５の記憶部２２と同様、例えばフラッシュメモリ等のような不揮発性の情報記憶媒体であり、各種プログラムや各種設定情報等を記憶する。この記憶部３２には、センサ装置６自身に関する種々の情報が装置情報として記憶されている。この装置情報には、例えば各センサ装置６の製造メーカ名や機種名等、製造番号等、一意に割り当てられた装置ＩＤ（Identifier）や、各ネットワークにおけるアドレス等、さらには後述するセンサ部３６において収集するデータの種類を表す情報等が含まれている。
【００３９】
ＬＰＷＡ通信部３４は、ＬＰＷＡ基地局４（図１）と対応するＬＰＷＡの通信インタフェースとなっており、図示しないアンテナや信号処理回路を有している。このＬＰＷＡ通信部３４は、制御部３１等からデータが供給されると、このデータに対して所定のパケット化等の処理を施した上で無線信号に変換し、これをアンテナからＬＰＷＡの電波として放射する。この電波は、ＬＰＷＡ基地局４により受信することができる。またＬＰＷＡ通信部３４は、ＬＰＷＡ基地局４（図１）等から送信されたＬＰＷＡの電波をアンテナにより受信して無線信号に変換すると、これに逆パケット化等の処理を施してデータを取り出し、これを制御部３１へ供給する。
【００４０】
ＦＡＮ通信部３５は、ゲートウェイ装置５（図１及び図３）と対応するＦＡＮの通信インタフェースとなっており、図示しないアンテナや信号処理回路を有している。このＬＰＷＡ通信部３４は、制御部３１等からデータが供給されると、このデータに対して所定のパケット化等の処理を施した上で無線信号に変換し、これをアンテナからＦＡＮの電波として放射する。またＦＡＮ通信部３５は、ゲートウェイ装置５（図１）等から送信されたＦＡＮの電波をアンテナにより受信して無線信号に変換すると、これに逆パケット化等の処理を施してデータを取り出し、これを制御部３１へ供給する。
【００４１】
センサ部３６は、例えば温湿度センサであり、周囲の温度及び湿度を計測して温度及び湿度を表すデータを生成し（すなわちデータを収集し）、これを制御部３１へ供給する。説明の都合上、以下ではこのデータをセンシングデータとも呼ぶ。
【００４２】
一方、センサ装置６Ｂ（図１）は、図５（Ａ）と対応する図５（Ｂ）に示すように、センサ装置６Ａの構成に加えて、セキュリティ処理部３３が設けられている。セキュリティ処理部３３は、ゲートウェイ装置５のセキュリティ処理部２３（図３）と同様に、例えば暗号化処理、認証処理及びＤｏＳ（Denial of Service）検知処理等のセキュリティに関する各種処理を実行し得るようになっている。
【００４３】
さらに記憶部３２には、上述した装置情報の一部として、図６に示すセキュリティ情報テーブルＴ２（Ｔ２Ａ又はＴ２Ｂ）により、セキュリティ機能の有無を表すセキュリティ機能情報が格納されている。図６（Ａ）に示すセキュリティ情報テーブルＴ２Ａは、センサ装置６Ａ（図５（Ａ））の記憶部３２に記憶されている。このセンサ装置６Ａには、上述したようにセキュリティ処理部３３が設けられていない。これに応じてセキュリティ情報テーブルＴ２Ａには、セキュリティ機能情報として、セキュリティ機能を有していないことを意味する「なし」が格納されている。
【００４４】
一方、図６（Ｂ）に示すセキュリティ情報テーブルＴ２Ｂは、センサ装置６Ｂ（図５（Ｂ））の記憶部３２に記憶されている。このセンサ装置６Ｂには、上述したようにセキュリティ処理部３３が設けられている。これに応じてセキュリティ情報テーブルＴ２Ｂには、セキュリティ機能情報として、セキュリティ機能を有していることを意味する「あり」が格納されている。
【００４５】
このようにセンサ装置６は、ＬＰＷＡ及びＦＡＮといった２種類の通信方式により情報を通信し得るようになっている。これに加えてセンサ装置６は、記憶部３２に記憶する装置情報の一部として、セキュリティ処理部３３の有無を表すセキュリティ機能情報がセキュリティ情報テーブルＴ２に格納されている。
【００４６】
［１−２．通信方式決定処理］
ところでセンサ管理システム１では、ゲートウェイ装置５により各センサ装置６を管理しており、その一環として、各センサ装置６におけるセキュリティ機能の有無に応じて通信方式を決定するようになっている。
【００４７】
具体的にセンサ管理システム１では、図７に示すシーケンスチャートに従い、センサ装置６、ゲートウェイ装置５及びサーバ装置３の間で情報をやりとりしながら、該センサ装置６の通信方式を決定する。ゲートウェイ装置５及びサーバ装置３は、予め電源が投入されて所定のプログラムをそれぞれ実行することにより、処理手順ＲＴ２及びＲＴ３をそれぞれ開始している。
【００４８】
センサ装置６の制御部３１は、電源が投入されると、処理手順ＲＴ１を開始してステップＳＰ１１へ移る。ステップＳＰ１１において制御部３１は、所定の起動処理等を実行した後、次のステップＳＰ１２へ移る。ステップＳＰ１２において制御部３１は、センサ装置６に電源が投入されたことを表す電源投入通知信号を、ＦＡＮ通信部３５（図５）からＦＡＮを介してゲートウェイ装置５へ通知する。
【００４９】
因みにセンサ管理システム１では、ゲートウェイ装置５が複数のセンサ装置６との間で種々の情報をやりとりする。そこでセンサ装置６は、ＦＡＮを介してゲートウェイ装置５へ情報を送信する場合、装置ＩＤ等を付加することにより、該ゲートウェイ装置５に対して各センサ装置６を特定させ得るようになっている。
【００５０】
一方、ゲートウェイ装置５の制御部２１は、処理手順ＲＴ２のステップＳＰ２１において、センサ装置６から電源投入通知信号を待ち受けており、ＦＡＮ通信部２５（図３）によりセンサ装置６から電源投入通知信号を受信すると、次のステップＳＰ２２へ移る。ステップＳＰ２２において制御部２１は、ＦＡＮ通信部２５からＦＡＮを介して、センサ装置６に対してセキュリティ機能等について問合せ、次のステップＳＰ２３へ移る。
【００５１】
センサ装置６の制御部３１は、ＦＡＮ通信部３５によりゲートウェイ装置５からのセキュリティ機能についての問合せを受信すると、次のステップＳＰ１３へ移り、セキュリティ機能についての回答をゲートウェイ装置５へ送信する。具体的に制御部３１は、記憶部３２のセキュリティ情報テーブルＴ２（図６）からセキュリティ機能情報を読み出し、ＦＡＮ通信部３５（図５）からＦＡＮを介してゲートウェイ装置５へ通知する。これによりゲートウェイ装置５は、センサ装置６のセキュリティ機能を知得することができる。
【００５２】
ゲートウェイ装置５の制御部２１は、ＦＡＮ通信部２５（図３）によりセンサ装置６からセキュリティ機能情報を受信すると、ステップＳＰ２３においてサブルーチンを実行して通信方式を決定する。具体的に制御部２１は、図８に示す通信方式決定処理手順ＲＴ４を開始してステップＳＰ４１に移り、通信方式決定部２１Ａ（図３）により、センサ装置６がセキュリティ機能を有しているか否か、具体的にはセキュリティ機能が「あり」であるか否かを判定する。
【００５３】
ここで肯定結果が得られると、このことはセンサ装置６がセキュリティ処理部３３を有するセンサ装置６Ｂ（図５（Ｂ））であることを意味している。すなわち、このセンサ装置６Ｂが仮にＬＰＷＡ基地局４との間でＬＰＷＡにより情報をやりとりした場合、暗号化処理や認証処理等によって情報の漏洩や改ざん等を有効に阻止でき、或いはインターネット２を介した外部からの攻撃等に適切に対処し得る。このとき制御部２１の通信方式決定部２１Ａは、次のステップＳＰ４２へ移り、このセンサ装置６（６Ｂ）が使用すべき通信方式をＬＰＷＡに決定した後、その次のステップＳＰ４４へ移る。
【００５４】
一方、ステップＳＰ４１において否定結果が得られると、このことはセンサ装置６がセキュリティ処理部３３を有しないセンサ装置６Ａ（図５（Ａ））であることを意味している。すなわち、このセンサ装置６Ａが仮にＬＰＷＡ基地局４との間でＬＰＷＡにより情報をやりとりした場合、該情報の漏洩や改ざん等が発生する恐れがあり、またインターネット２を介した外部からの攻撃等に十分に対処できない。しかしながら、このセンサ装置６Ａは、ゲートウェイ装置５を介してインターネット２と接続すれば、該ゲートウェイ装置５のセキュリティ処理部２３（図３）を利用できるので、情報のセキュリティを確保することが可能となる。このとき制御部２１の通信方式決定部２１Ａは、次のステップＳＰ４３へ移り、このセンサ装置６（６Ａ）が使用すべき通信方式をＦＡＮに決定した後、その次のステップＳＰ４４へ移る。
【００５５】
ステップＳＰ４４において制御部２１の通信方式決定部２１Ａは、サブルーチンとしての通信方式決定処理手順ＲＴ４を終了し、元の処理手順ＲＴ２（図７）における次のステップＳＰ２４へ移る。ステップＳＰ２４において制御部２１は、ＦＡＮ通信部２５からＦＡＮを介して、センサ装置６に対して設定すべき通信方式を通知し、次のステップＳＰ２５へ移る。
【００５６】
センサ装置６の制御部３１は、ＦＡＮ通信部３５によりゲートウェイ装置５から設定すべき通信方式についての通知を受信すると、次のステップＳＰ１４へ移り、通知された通信方式（ＦＡＮ又はＬＰＷＡ）に設定した後、その次のステップＳＰ１５へ移って処理手順ＲＴ１を終了する。
【００５７】
一方、ゲートウェイ装置５の制御部２１は、ステップＳＰ２５において、有線通信部２４（図３）により、インターネット２を介して、センサ装置６に関する情報、例えば装置ＩＤや決定した通信方式等をサーバ装置３へ通知する。その後、制御部２１は、再度ステップＳＰ２１へ戻ることにより、次のセンサ装置６からの通知を待ち受ける。
【００５８】
一方、サーバ装置３の制御部１１は、処理手順ＲＴ３のステップＳＰ３１において、ゲートウェイ装置５からのセンサ装置６に関する情報の通知を待ち受けており、通信部１４（図２）によりゲートウェイ装置５からの通知を受信すると、次のステップＳＰ３２へ移る。ステップＳＰ３２において制御部１１は、ゲートウェイ装置５から受信した通知を基に、センサ装置６に関する情報を記憶部１２（図２）に記憶させた後、再度ステップＳＰ３１へ戻って次の通知を待ち受ける。
【００５９】
かくしてセンサ管理システム１では、センサ装置６のセキュリティ機能に応じて通信方式が設定される。例えばセキュリティ機能を有しないセンサ装置６Ａ（図５（Ａ））は、通信方式がＦＡＮに設定され、図９（Ａ）に模式図を示すように、収集したセンシングデータをＦＡＮによりゲートウェイ装置５へ送信する。これに応じてゲートウェイ装置５は、セキュリティ処理部２３（図３）を適宜使用しながら、受信したセンシングデータをインターネット２経由でサーバ装置３へ送信して蓄積させる。
【００６０】
また、例えばセキュリティ機能を有するセンサ装置６Ｂ（図５（Ｂ））は、通信方式がＬＰＷＡに設定され、図９（Ｂ）に模式図を示すように、セキュリティ処理部３３を適宜使用しながら、収集したセンシングデータをＬＰＷＡによりＬＰＷＡ基地局４へ送信する。これに応じてＬＰＷＡ基地局４は、セキュリティに関する処理を特に行うこと無く、受信したセンシングデータをインターネット２経由でサーバ装置３へ送信して蓄積させる。
【００６１】
ところでサーバ装置３（図２）は、センサ管理システム１における各センサ装置６から該サーバ装置３までの通信経路をユーザに提示し得るようになっている。具体的にサーバ装置３の制御部１１は、操作部１８を介したユーザの操作指示等に応じて、記憶部１２に記憶している各センサ装置６に関する情報等を基に、図１０に示すような通信経路表示画面Ｄ１を表示部１７に表示させる。
【００６２】
この通信経路表示画面Ｄ１では、インターネット２、サーバ装置３、ＬＰＷＡ基地局４、ゲートウェイ装置５並びにセンサ装置６Ａ及び６Ｂがそれぞれ所定の図形Ｆ２、Ｆ３、Ｆ４、Ｆ５並びにＦ６Ａ及びＦ６Ｂにより表されている。また通信経路表示画面Ｄ１では、実際に形成されている通信経路に応じて、各図形Ｆ２等の間が折れ線等によって接続されている。すなわち通信経路表示画面Ｄ１には、センサ管理システム１における各通信経路が画像として表示されている。
【００６３】
このうち図形Ｆ６Ａ及びＦ５の間には、無線による接続を表す折れ線状の矢印が示されると共に、その近傍に文字「ＦＡＮ」が示されており、センサ装置６Ａ及びゲートウェイ装置５がＦＡＮにより通信接続されていることが表されている。また図形Ｆ６Ｂ及びＦ５の間には、無線による接続を表す矢印が示されると共に、その近傍に文字「ＬＰＷＡ」が示されており、センサ装置６Ｂ及びＬＰＷＡ基地局４がＬＰＷＡにより通信接続されていることが表されている。
【００６４】
さらに通信経路表示画面Ｄ１では、図形Ｆ５並びに図形Ｆ６Ａ及びＦ６Ｂの周囲が破線の枠Ｒ１により囲まれており、ゲートウェイ装置５によりセンサ装置６Ａ及び６Ｂが何れも管理され、それぞれの通信方式が決定されたことを表している。
【００６５】
［１−３．効果等］
以上の構成において、第１の実施の形態によるセンサ管理システム１では、ゲートウェイ装置５の制御部２１に設けられた通信方式決定部２１Ａにより、センサ装置６がセキュリティ機能を有することをセキュリティ条件として、該セキュリティ条件を満たすか否かに応じて通信方式が決定される。
【００６６】
すなわちセンサ管理システム１では、センサ装置６がセキュリティ機能を有するセンサ装置６Ｂ（図５（Ｂ））である場合、その通信方式をＬＰＷＡに設定し、ゲートウェイ装置５を介すること無く、該センサ装置６ＢとＬＰＷＡ基地局４との間で、ＬＰＷＡ方式での通信によりセンシングデータが送信される（図９（Ｂ））。この場合、センサ装置６Ｂは、セキュリティ処理部３３を有しているため、暗号化処理や認証処理等によってセンシングデータの盗聴や改ざんを阻止でき、またＤｏＳ検知処理等によってインターネット２を介した外部からの攻撃等に対処できる。
【００６７】
これを換言すれば、センサ管理システム１では、センサ装置６Ｂのセキュリティ処理部３３を活用しながらＬＰＷＡ方式で通信を行うことにより、センシングデータや該センサ装置６Ｂ自身のセキュリティを確保できると共に、ゲートウェイ装置５の処理負荷を軽減することができる。
【００６８】
一方、センサ管理システム１では、センサ装置６がセキュリティ機能を有しないセンサ装置６Ａ（図５（Ａ））である場合、ゲートウェイ装置５との間でＦＡＮ方式での通信によりセンシングデータが送信され、これが該ゲートウェイ装置５により中継されインターネット２を介してサーバ装置３へ送信される（図９（Ａ））。
【００６９】
すなわちセンサ装置６Ａは、ＬＰＷＡ通信部３４を有しているにも拘わらず、これを用いずにＦＡＮ通信部３５を用いたＦＡＮによる通信処理を行う。この場合、ゲートウェイ装置５は、セキュリティ機能を有していないセンサ装置６Ａの代わりにセキュリティ処理部２３を機能させ、暗号化処理や認証処理等によってセンシングデータの盗聴や改ざんを阻止でき、またＤｏＳ検知処理等によってインターネット２を介した外部からの攻撃等に対処することができる。
【００７０】
これを換言すれば、センサ管理システム１では、セキュリティ機能を有さないセンサ装置６ＡのＬＰＷＡ方式による通信を禁止することにより、該センサ装置６Ａにセキュリティ機能を追加すること無く、ゲートウェイ装置５によってセンシングデータやセンサ装置６Ａのセキュリティを確保できる。
【００７１】
これを他の観点から見れば、センサ管理システム１では、センサ装置６を新たに設置する場合に、該センサ装置６の電源を投入するだけで、該センサ装置６におけるセキュリティ機能の有無に応じた適切な通信方式を設定でき、セキュリティの確保とゲートウェイ装置５の処理負荷軽減とを高い次元で両立させることができる。
【００７２】
またセンサ管理システム１では、ユーザの操作等に従い、該センサ管理システム１における各部の通信経路等を、サーバ装置３の表示部１７（図２）に通信経路表示画面Ｄ１（図１０）として表示することができる。特にセンサ管理システム１では、各センサ装置６の通信方式がゲートウェイ装置５により自動的に決定されるものの、ユーザにこの通信経路表示画面Ｄ１を視認させることにより、決定された通信方式を容易に把握させることができる。
【００７３】
以上の構成によれば、第１の実施の形態によるセンサ管理システム１は、センサ装置６におけるセキュリティ機能の有無に応じて、ゲートウェイ装置５により通信方式を決定する。すなわちセキュリティ機能を有するセンサ装置６Ｂは、通信方式をＬＰＷＡに設定し、該センサ装置６Ｂのセキュリティ処理部３３によりセキュリティを確保でき、且つゲートウェイ装置５の処理負荷を軽減できる。一方、セキュリティ機能を有しないセンサ装置６Ａは、通信方式をＦＡＮに設定し、簡素な構成を維持したまま、ゲートウェイ装置５のセキュリティ処理部２３によりセキュリティを確保できる。これによりセンサ管理システム１では、各センサ装置６からセンシングデータを安全に送信でき、またインターネット２を介した外部からの攻撃等にも対処できる。
【００７４】
［２．第２の実施の形態］
第２の実施の形態では、ゲートウェイ装置５の記憶部２２（図３）に、各センサ装置６の通信方式を決定するための条件である通信方式設定条件が、図４と対応する図１１に示す通信方式設定テーブルＴ３として記憶されている。
【００７５】
この通信方式設定テーブルＴ３には、項目として「ＤｏＳ検知機能」及び「通信方式」が用意されており、「ＤｏＳ検知機能」の値として「あり」又は「なし」が格納され、それぞれと対応付けられた「通信方式」の値として「ＬＰＷＡ」又は「ＦＡＮ」が格納されている。すなわち通信方式設定テーブルＴ３には、通信方式をＬＰＷＡに決定するためのセキュリティ条件として、「ＤｏＳ検知機能を有すること」が規定されている。
【００７６】
また第２の実施の形態では、図５（Ａ）及び（Ｂ）と対応する図１２（Ａ）及び（Ｂ）に示すように、センサ装置６Ａ及び６Ｂが何れもセキュリティ処理部３３を有しているものの、その機能の一部が互いに相違している。
【００７７】
具体的にセンサ装置６Ａのセキュリティ処理部３３は、暗号化・認証処理部３３Ａが設けられており、比較的低レベルのセキュリティ機能である暗号化機能及び認証機能を有している一方、比較的高レベルのセキュリティ機能であるＤｏＳ検知機能を有していない。
【００７８】
これに応じてセンサ装置６Ａの記憶部３２には、図６（Ａ）と対応する図１３（Ａ）に示すように、セキュリティ情報テーブルＴ４Ａにセキュリティ機能情報として、「暗号化・認証機能」と対応付けて「あり」が格納される一方、「ＤｏＳ検知機能」と対応付けて「なし」が格納されている。
【００７９】
一方、センサ装置６Ｂ（図１２（Ｂ））のセキュリティ処理部３３は、暗号化・認証処理部３３Ａに加えて、ＤｏＳ検知処理部３３Ｂが設けられており、ＤｏＳ検知機能も有している。これに応じてセンサ装置６Ｂの記憶部３２には、図６（Ｂ）と対応する図１３（Ｂ）に示すように、セキュリティ情報テーブルＴ４Ｂにセキュリティ機能情報として、「暗号化・認証機能」及び「ＤｏＳ検知機能」と対応付けて、何れも「あり」が格納されている。
【００８０】
さらに第２の実施の形態においては、シーケンスチャート（図７）に従ってセンサ装置６の通信方式を決定する場合に、ゲートウェイ装置５がステップＳＰ２３において、図１４に示す通信方式決定処理手順ＲＴ５をサブルーチンとして実行するようになっている。
【００８１】
すなわちゲートウェイ装置５の制御部２１（図３）は、通信方式決定処理手順ＲＴ５を開始するとステップＳＰ５１に移り、センサ装置６がセキュリティ機能のうちＤｏＳ検知機能を有しているか否か、具体的にはセキュリティ機能情報のうちＤｏＳ検知機能が「あり」であるか否かを判定する。
【００８２】
ここで肯定結果が得られると、このことはセンサ装置６がセキュリティ処理部３３にＤｏＳ検知処理部３３Ｂを有するセンサ装置６Ｂ（図１２（Ｂ））であることを意味している。すなわち、このセンサ装置６Ｂが仮にＬＰＷＡ基地局４との間でＬＰＷＡにより情報をやりとりした場合、暗号化処理や認証処理等によって情報の漏洩や改ざん等を有効に阻止できることに加えて、インターネット２を介した外部からのＤｏＳ攻撃に適切に対処し得る。このとき制御部２１は、次のステップＳＰ５２へ移り、このセンサ装置６が使用すべき通信方式をＬＰＷＡに決定した後、その次のステップＳＰ５４へ移る。
【００８３】
一方、ステップＳＰ５１において否定結果が得られると、このことはセンサ装置６がセキュリティ処理部３３にＤｏＳ検知処理部を有しないセンサ装置６Ａ（図１２（Ａ））であることを意味している。すなわち、このセンサ装置６Ａが仮にＬＰＷＡ基地局４との間でＬＰＷＡにより情報をやりとりした場合、インターネット２を介した外部からのＤｏＳ攻撃等に十分に対処できない。しかしながら、このセンサ装置６Ａは、ゲートウェイ装置５を介してインターネット２と接続すれば、該ゲートウェイ装置５のセキュリティ処理部２３（図３）を利用できるので、ＤｏＳ攻撃等に十分に対処でき、情報のセキュリティを確保することが可能となる。このとき制御部２１は、次のステップＳＰ５３へ移り、このセンサ装置６（６Ａ）が使用すべき通信方式をＦＡＮに決定した後、その次のステップＳＰ５４へ移る。
【００８４】
ステップＳＰ５４において制御部２１は、サブルーチンとしての通信方式決定処理手順ＲＴ５を終了し、元の処理手順ＲＴ２（図７）における次のステップＳＰ２４へ移った後、第１の実施の形態と同様に以降の処理を継続する。
【００８５】
以上の構成において、第２の実施の形態では、ゲートウェイ装置５の制御部２１に設けられた通信方式決定部２１Ａ（図３）により、センサ装置６がセキュリティ機能の一部であるＤｏＳ検知機能を有することをセキュリティ条件として、該セキュリティ条件を満たすか否かに応じて通信方式が決定される。
【００８６】
すなわちセンサ管理システム１では、センサ装置６がＤｏＳ検知処理部３３Ｂを有するセンサ装置６Ｂ（図１２（Ｂ））である場合、その通信方式をＬＰＷＡに設定し、ゲートウェイ装置５を介すること無く、該センサ装置６ＢとＬＰＷＡ基地局４との間で、ＬＰＷＡ方式での通信によりセンシングデータが送信される。この場合、センサ装置６Ｂは、セキュリティ処理部３３にＤｏＳ検知処理部３３Ｂを有しているため、インターネット２を介した外部からのＤｏＳ攻撃に対して適切に対処できる。
【００８７】
一方、センサ管理システム１では、センサ装置６がセキュリティ機能のうちＤｏＳ検知機能を有しないセンサ装置６Ａ（図１２（Ａ））である場合、ゲートウェイ装置５との間でＦＡＮ方式での通信によりセンシングデータが送信され、これが該ゲートウェイ装置５により中継されインターネット２を介してサーバ装置３へ送信される。すなわちセンサ装置６Ａは、第１の実施の形態と同様、ＬＰＷＡ通信部３４を有しているにも拘わらず、これを用いずにＦＡＮ通信部３５を用いたＦＡＮによる通信処理を行う。この場合、ゲートウェイ装置５は、ＤｏＳ検知機能を有していないセンサ装置６Ａの代わりにセキュリティ処理部２３を機能させ、インターネット２を介した外部からのＤｏＳ攻撃等に適切に対処することができる。
【００８８】
因みにセンサ装置６Ａは、セキュリティ機能のうち暗号化処理及び認証処理については、暗号化・認証処理部３３Ａ（図１２（Ａ））において実行することにより、ゲートウェイ装置５の処理負荷を軽減させることができる。
【００８９】
その他の点においても、第２の実施の形態によるセンサ管理システム１では、第１の実施の形態と同様の作用効果を奏し得る。
【００９０】
以上の構成によれば、第２の実施の形態によるセンサ管理システム１では、センサ装置６におけるセキュリティ機能のうちＤｏＳ検知機能の有無に応じて、ゲートウェイ装置５により通信方式が決定される。すなわちＤｏＳ検知機能を有するセンサ装置６Ｂは、通信方式をＬＰＷＡに設定し、該センサ装置６Ｂのセキュリティ処理部３３におけるＤｏＳ検知処理部３３ＢによりＤｏＳ攻撃に対処でき、且つゲートウェイ装置５の処理負荷を軽減できる。一方、ＤｏＳ検知機能を有しないセンサ装置６Ａは、通信方式をＦＡＮに設定し、簡素な構成を維持したまま、ゲートウェイ装置５のセキュリティ処理部２３によりＤｏＳ攻撃に対処できる。これによりセンサ管理システム１では、各センサ装置６からセンシングデータを安全に送信でき、またインターネット２を介した外部からの攻撃等にも対処できる。
【００９１】
［３．第３の実施の形態］
第３の実施の形態では、ゲートウェイ装置５の記憶部２２（図３）に、各センサ装置６の通信方式を決定するための条件である通信方式設定条件が、図４及び図１１と対応する図１５に示す通信方式設定テーブルＴ５として記憶されている。
【００９２】
この通信方式設定テーブルＴ５には、２種類の大分類として「ＤｏＳ検知機能」及び「データのカテゴリ」の欄が用意され、さらに「ＤｏＳ検知機能」の小分類として「あり」又は「なし」の欄が用意され、「データのカテゴリ」の小分類として「温度・湿度」及び「映像・音声」の欄が用意されている。
【００９３】
その上で通信方式設定テーブルＴ５には、「ＤｏＳ検知機能」が「あり」であり、且つ「データのカテゴリ」が「映像・音声」でない（すなわち「温度・湿度」である）組合せのみ「通信方式」として「ＬＰＷＡ」が格納され、他の組合せにおいて「ＦＡＮ」が格納されている。すなわち通信方式設定テーブルＴ５には、通信方式をＬＰＷＡに決定するためのセキュリティ条件として、「ＤｏＳ検知機能を有し、且つデータのカテゴリが映像・音声で無いこと」が規定されている。
【００９４】
また第３の実施の形態では、図５（Ａ）及び（Ｂ）並びに図１２（Ａ）及び（Ｂ）と対応する図１６（Ａ）及び（Ｂ）に示すように、センサ装置６Ａ及び６Ｂが何れもセキュリティ処理部３３を有し、且つＤｏＳ検知処理部３３Ｂも有しているものの、センサ部３６の構成が相違している。
【００９５】
具体的にセンサ装置６Ａのセンサ部３６には、映像を撮像するカメラや音声を集音するマイク等でなる映像・音声センサ３６Ａが設けられている。このためセンサ部３６は、映像信号及び音声信号を含むセンシングデータを生成する。
【００９６】
これに応じてセンサ装置６Ａの記憶部３２には、図６（Ａ）及び図１３（Ａ）と対応する図１７（Ａ）に示すように、セキュリティ情報テーブルＴ６Ａにセキュリティ機能情報の一部として「ＤｏＳ検知機能」と対応付けて「あり」が格納され、さらに「データのカテゴリ」と対応付けて「映像・音声」が格納されている。
【００９７】
一方、センサ装置６Ｂのセンサ部３６には、周囲の温度を計測する温度センサや周囲の湿度を計測する湿度センサ等でなる温度・湿度センサ３６Ｂが設けられている。このためセンサ部３６は、温度及び湿度の計測結果を表すセンシングデータを生成する。
【００９８】
これに応じてセンサ装置６Ｂの記憶部３２には、図６（Ｂ）及び図１３（Ｂ）と対応する図１７（Ｂ）に示すように、セキュリティ情報テーブルＴ６Ｂにセキュリティ機能情報の一部として「ＤｏＳ検知機能」と対応付けて「あり」が格納され、さらに「データのカテゴリ」と対応付けて「温度・湿度」が格納されている。
【００９９】
さらに第３の実施の形態においては、シーケンスチャート（図７）に従ってセンサ装置６の通信方式を決定する場合に、ゲートウェイ装置５がステップＳＰ２３において、図１８に示す通信方式決定処理手順ＲＴ６をサブルーチンとして実行するようになっている。
【０１００】
すなわちゲートウェイ装置５の制御部２１（図３）は、通信方式決定処理手順ＲＴ６を開始するとステップＳＰ６１に移り、センサ装置６がセキュリティ機能のうちＤｏＳ検知機能を有しているか否か、具体的にはセキュリティ機能情報のうちＤｏＳ検知機能が「あり」であるか否かを判定する。
【０１０１】
ここで肯定結果が得られると、このことは、このセンサ装置６が仮にＬＰＷＡ基地局４との間でＬＰＷＡにより情報をやりとりした場合、インターネット２を介した外部からのＤｏＳ攻撃に適切に対処し得ることを意味する。換言すれば、センサ装置６は、少なくともセキュリティ機能に関して、ＬＰＷＡにより情報をやりとりするのに十分な機能を有している。このとき制御部２１は、次のステップＳＰ６２へ移る。
【０１０２】
ステップＳＰ６２において制御部２１は、センサ装置６におけるデータのカテゴリが映像・音声であるか否かを判定する。ここで否定結果が得られると、このことはセンサ装置６が温度・湿度センサ３６Ｂを有するセンサ装置６Ｂ（図１６（Ｂ））であることを意味している。すなわち、センサ装置６Ｂから送信されるセンシングデータは温度及び湿度の計測結果であり、仮に第三者に盗聴されたとしても、重大な情報漏洩に繋がる可能性が極めて低いことを表している。このとき制御部２１は、次のステップＳＰ６３へ移り、このセンサ装置６が使用すべき通信方式をＬＰＷＡに決定した後、その次のステップＳＰ６５へ移る。
【０１０３】
一方、ステップＳＰ６１において否定結果が得られると、このことはセンサ装置６がセキュリティ処理部３３にＤｏＳ検知処理部を有しておらず、ＬＰＷＡにより情報をやりとりするのに十分なセキュリティ機能を有していないことを意味している。このとき制御部２１は、次のステップＳＰ６４へ移る。
【０１０４】
またステップＳＰ６２において肯定結果が得られると、このことはセンサ装置６が映像・音声センサ３６Ａを有するセンサ装置６Ａ（図１６（Ａ））であることを意味している。すなわち、センサ装置６Ａから送信されるセンシングデータは映像及び音声のデータであり、仮に第三者に盗聴された場合、重大な情報漏洩に繋がる可能性が高いことを表している。このとき制御部２１は、次のステップＳＰ６４へ移る。
【０１０５】
ステップＳＰ６４において制御部２１は、このセンサ装置６が使用すべき通信方式をＦＡＮに決定した後、その次のステップＳＰ６５へ移る。これによりセンサ装置６は、ゲートウェイ装置５のセキュリティ処理部２３が有するセキュリティ機能を利用して通信を行い得るようになる。
【０１０６】
ステップＳＰ６５において制御部２１は、サブルーチンとしての通信方式決定処理手順ＲＴ６を終了し、元の処理手順ＲＴ２（図７）における次のステップＳＰ２４へ移った後、第１の実施の形態と同様に以降の処理を継続する。
【０１０７】
以上の構成において、第３の実施の形態では、ゲートウェイ装置５の制御部２１に設けられた通信方式決定部２１Ａ（図３）により、センサ装置６がＤｏＳ検知機能を有すること及び生成するデータのカテゴリが映像・音声でないことをセキュリティ条件として、該セキュリティ条件を満たすか否かに応じて通信方式が決定される。
【０１０８】
すなわちセンサ管理システム１では、センサ装置６がＤｏＳ検知処理部３３Ｂを有し、且つセンサ部３６が温度・湿度センサ３６Ｂを有するセンサ装置６Ｂ（図１６（Ｂ））である場合、その通信方式をＬＰＷＡに設定する。これによりセンサ装置６Ｂは、ゲートウェイ装置５を介すること無く、ＬＰＷＡ基地局４との間で、ＬＰＷＡ方式での通信によりセンシングデータを送信する。
【０１０９】
この場合、センサ装置６Ｂは、セキュリティ処理部３３にＤｏＳ検知処理部３３Ｂを有しているため、インターネット２を介した外部からのＤｏＳ攻撃に対して適切に対処できる。またセンサ装置６Ｂから送信されるセンシングデータは、温度及び湿度の計測結果であり、仮に第三者に盗聴されたとしても、重大な情報漏洩に繋がる可能性が極めて低い。このため、一般にゲートウェイ装置５のセキュリティ処理部２３よりも能力が低いセンサ装置６Ｂのセキュリティ処理部３３であっても、必要十分な保護を行い得る。
【０１１０】
一方、センサ管理システム１では、センサ装置６がセキュリティ機能のうちＤｏＳ検知機能を有していたとしても、センサ部３６が映像・音声センサ３６Ａを有するセンサ装置６Ａ（図１６（Ａ））である場合、ゲートウェイ装置５との間でＦＡＮ方式での通信によりセンシングデータが送信される。すなわちセンサ装置６Ａは、データのカテゴリが映像や音声であり、盗聴された場合に重大な情報漏洩に繋がる可能性が高いため、ＬＰＷＡ通信部３４を有しているにも拘わらず、これを用いずにＦＡＮ通信部３５を用いたＦＡＮによる通信処理を行う。この場合、ゲートウェイ装置５は、センサ装置６Ａのセキュリティ処理部３３よりも能力が高いセキュリティ処理部２３を機能させ、センシングデータやセンサ装置６Ａを強力に保護することができる。
【０１１１】
その他の点においても、第３の実施の形態によるセンサ管理システム１では、第１の実施の形態と同様の作用効果を奏し得る。
【０１１２】
以上の構成によれば、第３の実施の形態によるセンサ管理システム１では、センサ装置６におけるセキュリティ機能のうちＤｏＳ検知機能の有無及びデータのカテゴリに応じて、ゲートウェイ装置５により通信方式が決定される。すなわちＤｏＳ検知機能を有し、且つデータのカテゴリが温度・湿度であるセンサ装置６Ｂは、通信方式をＬＰＷＡに設定することにより、セキュリティ処理部３３によって必要十分なセキュリティを確保しながら、ゲートウェイ装置５の処理負荷を軽減できる。一方、データのカテゴリが映像・音声であるセンサ装置６Ａは、通信方式をＦＡＮに設定し、ゲートウェイ装置５のセキュリティ処理部２３によりセンシングデータ等を強力に保護することができる。これによりセンサ管理システム１では、各センサ装置６からセンシングデータを安全に送信でき、またインターネット２を介した外部からの攻撃等にも対処できる。
【０１１３】
［４．第４の実施の形態］
第４の実施の形態では、ゲートウェイ装置５の記憶部２２（図３）に、各センサ装置６の通信方式を決定するための条件である通信方式設定条件が、図４、図１１及び図１５と対応する図１９に示す通信方式設定テーブルＴ７Ａ及びＴ７Ｂとして記憶されている。
【０１１４】
このうち通信方式設定テーブルＴ７Ａは、第２の実施の形態における通信方式設定テーブルＴ３（図１１）と同等である。一方、通信方式設定テーブルＴ７Ｂは、項目として「機種名」及び「通信方式」が用意されており、「機種名」の値として「ＡＡ１２３４以外」又は「ＡＡ１２３４」が格納され、それぞれと対応付けられた「通信方式」の値として「ＬＰＷＡ」又は「ＦＡＮ」が格納されている。すなわち通信方式設定テーブルＴ７Ａ及びＴ７Ｂには、通信方式をＬＰＷＡに決定するためのセキュリティ条件として、「ＤｏＳ検知機能を有し、且つ機種名が「ＡＡ１２３４」以外であること」が規定されている。
【０１１５】
この通信方式設定テーブルＴ７Ｂは、例えば機種名が「ＡＡ１２３４」であるセンサ装置６のセキュリティ処理部３３に問題が発見された場合等に、該センサ装置６の通信方式を、そのセキュリティ処理部３３を使用せずに済む「ＦＡＮ」に設定する目的で設けられている。因みにゲートウェイ装置５の記憶部２２には、最初の段階において通信方式設定テーブルＴ７Ａのみが記憶され、実質的に第２の実施の形態と同等であったところ、事後的に通信方式設定テーブルＴ７Ｂが追加されている。
【０１１６】
また第４の実施の形態では、第３の実施の形態（図１６（Ａ）及び（Ｂ））と同様に、センサ装置６Ａ及び６Ｂが何れもセキュリティ処理部３３を有し、且つＤｏＳ検知処理部３３Ｂも有しているものの、記憶部３２に装置情報の一部として記憶している機種名の構成が相違している。
【０１１７】
具体的にセンサ装置６Ａは、機種名が「ＢＢ０００１」となっている。これに応じてセンサ装置６Ａの記憶部３２には、図６（Ａ）、図１３（Ａ）及び図１７（Ａ）と対応する図２０（Ａ）に示すように、セキュリティ情報テーブルＴ８Ａにセキュリティ機能情報の一部として「ＤｏＳ検知機能」と対応付けて「あり」が格納され、さらに「機種名」と対応付けて「ＢＢ０００１」が格納されている。
【０１１８】
一方、センサ装置６Ｂは、機種名が「ＡＡ１２３４」となっている。これに応じてセンサ装置６Ｂの記憶部３２には、図６（Ｂ）、図１３（Ｂ）及び図１７（Ｂ）と対応する図２０（Ｂ）に示すように、セキュリティ情報テーブルＴ８Ｂにセキュリティ機能情報の一部として「ＤｏＳ検知機能」と対応付けて「あり」が格納され、さらに「機種名」と対応付けて「ＡＡ１２３４」が格納されている。
【０１１９】
さらに第４の実施の形態においては、シーケンスチャート（図７）に従ってセンサ装置６の通信方式を決定する場合に、ゲートウェイ装置５がステップＳＰ２３において、図２１に示す通信方式決定処理手順ＲＴ７をサブルーチンとして実行するようになっている。
【０１２０】
すなわちゲートウェイ装置５の制御部２１（図３）は、通信方式決定処理手順ＲＴ７を開始するとステップＳＰ７１に移り、センサ装置６がセキュリティ機能のうちＤｏＳ検知機能を有しているか否か、具体的にはセキュリティ機能情報のうちＤｏＳ検知機能が「あり」であるか否かを判定する。
【０１２１】
ここで肯定結果が得られると、このことは、このセンサ装置６がＬＰＷＡ基地局４との間でＬＰＷＡにより情報をやりとりした場合、本来的にはインターネット２を介した外部からのＤｏＳ攻撃に適切に対処し得ることを意味する。このとき制御部２１は、次のステップＳＰ７２へ移る。
【０１２２】
ステップＳＰ７２において制御部２１は、センサ装置６の機種名が「ＡＡ１２３４」であるか否かを判定する。ここで否定結果が得られると、このことはセンサ装置６のセキュリティ処理部３３に何ら問題が無く、使用可能であることを意味している。このとき制御部２１は、次のステップＳＰ７３へ移り、このセンサ装置６が使用すべき通信方式をＬＰＷＡに決定した後、その次のステップＳＰ７５へ移る。
【０１２３】
一方、ステップＳＰ７１において否定結果が得られると、このことはセンサ装置６がセキュリティ処理部３３にＤｏＳ検知処理部を有しておらず、ＬＰＷＡにより情報をやりとりするのに十分なセキュリティ機能を有していないことを意味している。このとき制御部２１は、次のステップＳＰ７４へ移る。
【０１２４】
またステップＳＰ７２において否定結果が得られると、このことはセンサ装置６の機種名が「ＡＡ１２３４」でありセキュリティ処理部３３に問題があるために、通信方式としてＬＰＷＡを使用するべきでないことを意味している。このとき制御部２１は、次のステップＳＰ７４へ移る。
【０１２５】
ステップＳＰ７４において制御部２１は、このセンサ装置６が使用すべき通信方式をＦＡＮに決定した後、その次のステップＳＰ７５へ移る。これによりセンサ装置６は、ゲートウェイ装置５のセキュリティ処理部２３が有するセキュリティ機能を利用して通信を行い得るようになる。
【０１２６】
ステップＳＰ７５において制御部２１は、サブルーチンとしての通信方式決定処理手順ＲＴ７を終了し、元の処理手順ＲＴ２（図７）における次のステップＳＰ２４へ移った後、第１の実施の形態と同様に以降の処理を継続する。
【０１２７】
以上の構成において、第４の実施の形態では、ゲートウェイ装置５の制御部２１に設けられた通信方式決定部２１Ａ（図３）により、センサ装置６がＤｏＳ検知機能を有すること及び該センサ装置６の機種名が「ＡＡ１２３４」でないことをセキュリティ条件として、該セキュリティ条件を満たすか否かに応じて通信方式が決定される。
【０１２８】
すなわちセンサ管理システム１では、センサ装置６がＤｏＳ検知処理部３３Ｂを有し、且つ機種名が「ＡＡ１２３４」以外の「ＢＢ０００１」等である場合、その通信方式をＬＰＷＡに設定し、ゲートウェイ装置５を介すること無く、該センサ装置６とＬＰＷＡ基地局４との間で、ＬＰＷＡ方式での通信によりセンシングデータが送信される。この場合、センサ装置６は、セキュリティ処理部３３にＤｏＳ検知処理部３３Ｂを有しているため、インターネット２を介した外部からのＤｏＳ攻撃に対して適切に対処できる。
【０１２９】
一方、センサ管理システム１では、センサ装置６がセキュリティ機能のうちＤｏＳ検知機能を有していたとしても、機種名が「ＡＡ１２３４」である場合、ゲートウェイ装置５との間でＦＡＮ方式での通信によりセンシングデータが送信される。すなわちこのセンサ装置６は、セキュリティ処理部３３を有しているものの、問題が発見されており、このセキュリティ処理部３３を使用してＬＰＷＡにより通信を行うことが不適当であるために、ＬＰＷＡ通信部３４を有しているにも拘わらず、ＦＡＮ通信部３５を用いたＦＡＮによる通信処理を行う。この場合、ゲートウェイ装置５のセキュリティ処理部２３により正常なセキュリティ処理を行うことができ、センシングデータやセンサ装置６を適切に保護することができる。
【０１３０】
因みにこの第４の実施の形態では、例えば機種名が「ＡＡ１２３４」であるセンサ装置６Ｂにおいて、ファームウェアの更新や部品の交換等によってセキュリティ処理部３３の問題が解消された場合、ゲートウェイ装置５の記憶部２２から通信方式設定テーブルＴ７Ｂが削除される。これに応じてゲートウェイ装置５の制御部２１は、シーケンスチャート（図７）に従ってセンサ装置６の通信方式を設定する場合、ステップＳＰ２３において、第２の実施の形態と同様に、通信方式決定処理手順ＲＴ５（図１４）をサブルーチンとして実行する。これによりセンサ装置６Ｂは、セキュリティ処理部３３を使用する通信方式であるＬＰＷＡに設定されることになる。
【０１３１】
その他の点においても、第４の実施の形態によるセンサ管理システム１では、第１の実施の形態と同様の作用効果を奏し得る。
【０１３２】
以上の構成によれば、第４の実施の形態によるセンサ管理システム１では、センサ装置６におけるセキュリティ機能のうちＤｏＳ検知機能の有無及び機種名に応じて、ゲートウェイ装置５により通信方式が決定される。すなわちＤｏＳ検知機能を有し、且つ機種名が「ＡＡ１２３４」以外であるセンサ装置６Ｂは、通信方式をＬＰＷＡに設定することにより、セキュリティ処理部３３によって必要十分なセキュリティを確保しながら、ゲートウェイ装置５の処理負荷を軽減できる。一方、機種名が「ＡＡ１２３４」であるセンサ装置６Ａは、通信方式をＦＡＮに設定し、ゲートウェイ装置５のセキュリティ処理部２３によりセンシングデータ等を保護する。これによりセンサ管理システム１では、各センサ装置６からセンシングデータを安全に送信でき、またインターネット２を介した外部からの攻撃等にも対処できる。
【０１３３】
［５．他の実施の形態］
なお上述した第１の実施の形態においては、セキュリティ条件を「セキュリティ機能を有する」こととし（図４）、また第２の実施の形態においては、セキュリティ条件を「ＤｏＳ検知機能を有する」こととする場合について述べた（図１１）。しかしながら本発明はこれに限らず、例えば「暗号化・認証機能を有すること」や、「ＡＥＳ（Advanced Encryption Standard）における鍵長が２５６ｂｉｔ以上であること」、或いは「ゲートウェイ装置５と同等以上のセキュリティ機能を有すること」をセキュリティ条件とする等、セキュリティに関する種々の要件をセキュリティ条件としても良い。さらには、例えばセキュリティに関する要件に数値によるレベルを割り当ててセキュリティレベルを定義した上で、「セキュリティレベルが所定の基準レベル以上であること」をセキュリティ条件としても良い。またセキュリティ条件は、予めゲートウェイ装置５の記憶部２２に記憶しているものに限らず、例えばサーバ装置３から通知されたものでも良い。
【０１３４】
また上述した第３の実施の形態においては、セキュリティ条件を「センサ装置６がＤｏＳ検知機能を有すること及び生成するデータのカテゴリが映像・音声でないこと」とする場合について述べた。さらに第４の実施の形態においては、セキュリティ条件を「センサ装置６がＤｏＳ検知機能を有すること及び該センサ装置６の機種名が「ＡＡ１２３４」でないこと」とする場合について述べた。しかしながら本発明はこれに限らず、例えばセキュリティ条件を「センサ装置６がＤｏＳ検知機能を有すること及び所定の製造メーカであること」とする等、セキュリティ機能と他の種々の要件とを組み合わせてセキュリティ条件としても良い。
【０１３５】
さらに上述した第１の実施の形態においては、センサ装置６の記憶部３２に、装置情報の一部としてセキュリティ情報テーブルＴ２（図６）を記憶させる場合について述べた。しかしながら本発明はこれに限らず、例えば記憶部３２からセキュリティ情報テーブルＴ２を省略しても良い。この場合、例えばセンサ装置６の制御部３１において所定の自己機能検査プログラムを実行することにより、自己が有するセキュリティに関する機能を検出し、得られた結果をゲートウェイ装置５へ通知すれば良い。或いは、ゲートウェイ装置５からセンサ装置６に対してセキュリティ機能の実行を要求し、得られた実行結果を基に、ゲートウェイ装置５においてセキュリティ機能の有無を判断しても良い。これらの場合、例えばある機能が実装されているものの正常に動作していないことを検出した場合に、この機能を有していないものとして、正常に動作している機能のみに基づいてセキュリティ条件を満たすか否かを判断することができる。第２〜第４の実施の形態においても同様である。このうち第３の実施の形態においては、例えばゲートウェイ装置５がセンサ装置６から送信されたデータの内容を解析することにより、該データのカテゴリを判断しても良い。
【０１３６】
さらに上述した第３の実施の形態においては、セキュリティ条件を「センサ装置６がＤｏＳ検知機能を有すること及び生成するデータのカテゴリが映像・音声でないこと」の１つのみとする場合について述べた。しかしながら本発明はこれに限らず、例えばデータのカテゴリごとにそれぞれセキュリティ条件を設けても良い。
【０１３７】
さらに上述した第１の実施の形態においては、通信方式を決定するシーケンスチャート（図７）において、ゲートウェイ装置５によりセンサ装置６の通信方式を決定してこれを通知し（ステップＳＰ２３及びＳＰ２４）、これに応じて該センサ装置６が自ら通信方式を設定する（ステップＳＰ１４）場合について述べた。しかしながら本発明はこれに限らず、例えばゲートウェイ装置５により決定したセンサ装置６の通信方式を、該ゲートウェイ装置５の表示部２７に表示し、或いは予め指定されたメールアドレスへ電子メールを送信する等してユーザに通知しても良い。これに応じてユーザは、決定された通信方式を確認した上で、センサ装置６の通信方式を手動操作等によって設定することができる。第２〜第４の実施の形態についても同様である。
【０１３８】
さらに上述した第１の実施の形態においては、通信方式を決定するシーケンスチャート（図７）において、ゲートウェイ装置５においてセンサ装置６の通信方式を決定した後に、該センサ装置６の情報をサーバ装置３へ送信する場合について述べた（ステップＳＰ２５及びＳＰ３２）。しかしながら本発明はこれに限らず、例えばステップＳＰ２５及びＳＰ３２の処理を省略しても良い。この場合、例えばサーバ装置３からセンサ装置６に対して情報の送信を要求して、得られた情報を記憶しても良く、或いはサーバ装置３にセンサ装置６に関する情報を記憶させないようにしても良い。第２〜第４の実施の形態についても同様である。
【０１３９】
さらに上述した第１の実施の形態においては、サーバ装置３の表示部１７に表示する通信経路表示画面Ｄ１（図１０）において、センサ管理システム１における各通信経路を、サーバ装置３を表す図形Ｆ３等や折れ線等を組み合わせた画像として表示する場合について述べた。しかしながら本発明はこれに限らず、例えば「サーバ装置３が有線によりインターネット２に接続」のように文字列により表示する等、種々の提示手法によりユーザに提示しても良い。第２〜第４の実施の形態についても同様である。
【０１４０】
さらに上述した第１の実施の形態においては、センサ部３６により温度及び湿度のデータを収集する場合について述べた。しかしながら本発明はこれに限らず、該センサ部３６により映像や音声、或いは照度や騒音レベル等、種々のデータを収集しても良い。第２〜第４の実施の形態についても同様である。
【０１４１】
さらに上述した第１の実施の形態においては、センサ装置６の電源が投入されたときに処理手順ＲＴ１（図７）を開始する場合について述べた。しかしながら本発明はこれに限らず、例えば図示しないリセットボタンが操作された場合や、サーバ装置３やゲートウェイ装置５等から再度通信方式を決定するように通知がなされた場合等、種々のタイミングで処理手順ＲＴ１を開始しても良い。又は、ゲートウェイ装置５におけるセキュリティ条件が変更された場合、変更後のセキュリティ条件に従い、通信方式を再度決定しても良い。或いは、センサ装置６において電源が投入されている間に、所定の期間（例えば１日、１週間や１ヶ月等）ごとに繰り返し処理手順ＲＴ１を開始しても良い。これにより、例えば故障により一部のセキュリティ機能が正常に動作しなくなった場合に、通信方式をＬＰＷＡからＦＡＮに変更して、ゲートウェイ装置５のセキュリティ機能を使用しながらセンシングデータの収集を継続することができる。第２〜第４の実施の形態についても同様である。
【０１４２】
さらに上述した第１の実施の形態においては、ゲートウェイ装置５の制御部２１におけるフラッシュメモリ（図示せず）や記憶部２２等に通信方式決定プログラムが予め記憶されている場合について述べた。しかしながら本発明はこれに限らず、例えばサーバ装置３やインターネット２に接続された他のサーバ（図示せず）から通信方式決定プログラムをダウンロードして記憶し、これを実行しても良い。第２〜第４の実施の形態についても同様である。
【０１４３】
さらに上述した実施の形態においては、センサ装置６がＬＰＷＡ及びＦＡＮといった２通りの通信方式に対応可能である場合に、ゲートウェイ装置５により該センサ装置６における通信方式をその一方に決定する場合について述べた。しかしながら本発明はこれに限らず、センサ装置６が２以上の種々の通信方式に対応している場合に、ゲートウェイ装置５により該センサ装置６における通信方式をその何れかに決定しても良い。
【０１４４】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１４５】
さらに上述した実施の形態においては、センサ装置としてのセンサ装置６（６Ａ及び６Ｂ）と、センサ管理装置としてのゲートウェイ装置５と、通信装置としてのＬＰＷＡ基地局４と、サーバ装置としてのサーバ装置３とによりセンサ管理システムとしてのセンサ管理システム１を構成し、センサ管理装置を、通信方式決定部としての通信方式決定部２１Ａにより構成する場合について述べた。しかしながら本発明はこれに限らず、その他種々の構成でなるセンサ装置と、センサ管理装置と、通信装置と、サーバ装置とによりセンサ管理システムを構成し、該センサ管理装置を、その他種々の構成でなる通信方式決定部により構成しても良い。
【産業上の利用可能性】
【０１４６】
本発明は、例えば複数の通信方式に対応したセンサ装置における通信方式を決定する場合に利用できる。
【符号の説明】
【０１４７】
１……センサ管理システム、２……インターネット、３……サーバ装置、４……ＬＰＷＡ基地局、５……ゲートウェイ装置、６、６Ａ、６Ｂ……センサ装置、１７……表示部、２１……制御部、２１Ａ……通信方式決定部、２２……記憶部、２３……セキュリティ処理部、２４……有線通信部、２５……ＦＡＮ通信部、３１……制御部、３２……記憶部、３３……セキュリティ処理部、３３Ａ……認証処理部、３３Ｂ……ＤｏＳ検知処理部、３４……ＬＰＷＡ通信部、３５……ＦＡＮ通信部、３６……センサ部、Ｄ１……通信経路表示画面、Ｔ１、Ｔ３、Ｔ５、Ｔ７Ａ、Ｔ７Ｂ……通信方式設定テーブル、Ｔ２、Ｔ２Ａ、Ｔ２Ｂ、Ｔ４Ａ、Ｔ４Ｂ、Ｔ６Ａ、Ｔ６Ｂ、Ｔ８Ａ、Ｔ８Ｂ……セキュリティ情報テーブル。
【図１】
2018173726.tif 000003
【図２】
2018173726.tif 000004
【図３】
2018173726.tif 000005
【図４】
2018173726.tif 000006
【図５】
2018173726.tif 000007
【図６】
2018173726.tif 000008
【図７】
2018173726.tif 000009
【図８】
2018173726.tif 000010
【図９】
2018173726.tif 000011
【図１０】
2018173726.tif 000012
【図１１】
2018173726.tif 000013
【図１２】
2018173726.tif 000014
【図１３】
2018173726.tif 000015
【図１４】
2018173726.tif 000016
【図１５】
2018173726.tif 000017
【図１６】
2018173726.tif 000018
【図１７】
2018173726.tif 000019
【図１８】
2018173726.tif 000020
【図１９】
2018173726.tif 000021
【図２０】
2018173726.tif 000022
【図２１】
2018173726.tif 000023